(57)【特許請求の範囲】
【請求項１】
ＣＷＰを燃焼する加圧流動床ボイラと、当該加圧流動床ボイラによって生成された蒸気によって回転するタービンと、当該タービンの回転によって発電を行う発電機とを有する発電ユニットにおける前記加圧流動床ボイラに供給するＣＷＰを製造するＣＷＰ製造供給装置であって、
原炭を粉砕して粗粉砕炭を生成する粗粉砕炭生成部と、
当該粗粉砕炭生成部で生成された粗粉砕炭の一部を粉砕して微粉炭を生成する微粉炭生成部と、
当該微粉炭生成部で生成された微粉炭に水を加え、混練することによって微粉炭スラリを生成する微粉炭スラリ生成部と、
当該微粉炭スラリ生成部で生成された微粉炭スラリと、前記粗粉砕炭生成部で生成された粗粉砕炭と、石灰石とを混練してＣＷＰを生成するＣＷＰ生成部と、
前記ＣＷＰ生成部で生成されたＣＷＰを収容するＣＷＰタンクと、
前記ＣＷＰタンクから排出されたＣＷＰを回収するＣＷＰ回収ピットと、
前記ＣＷＰ回収ピットから所定の搬送経路を経て移送されたＣＷＰを収容する回収ＣＷＰタンクと、
前記回収ＣＷＰタンクの内部のＣＷＰを前記微粉炭生成部に供給する回収ＣＷＰ供給部と、
前記発電ユニットの発電出力を検知する発電出力検知部と、
前記発電ユニットの起動及び停止状態の履歴を記憶する起動履歴記憶部と、
前記ＣＷＰタンク内のＣＷＰ量を検知するＣＷＰ量検知部と、
前記ＣＷＰ量検知部による検知結果の履歴を記憶する検知結果記憶部と、
前記発電ユニットが停止状態から起動された場合に、前記起動履歴記憶部に記憶された履歴及び前記検知結果記憶部に記憶された履歴に基づいて、前記発電ユニットの停止状態における前記ＣＷＰタンクの内部のＣＷＰ量が所定量以下になったかを判定する判定部と、
前記判定部により、前記ＣＷＰタンクの内部のＣＷＰ量が所定量以下になったと判定され、かつ、前記発電出力検知部により検知された発電出力が所定値以上になったと判定された場合に、前記回収ＣＷＰ供給部を駆動させる回収ＣＷＰ供給制御部と、を備えることを特徴とするＣＷＰ製造供給装置。
【請求項２】
前記微粉炭スラリ生成部で生成された微粉炭スラリの粘度を測定する粘度測定部と、
前記粘度測定部の測定結果が所定の範囲に入っているか否かを判定する粘度判定部をさらに備え、
前記回収ＣＷＰ供給制御部は、
前記粘度判定部により、微粉炭スラリの粘度の値が所定の範囲に入っていると判定された場合に、前記回収ＣＷＰ供給部を駆動することを特徴とする請求項１記載のＣＷＰ製造供給装置。
【請求項３】
ＣＷＰを燃焼する加圧流動床ボイラと、当該加圧流動床ボイラによって生成された蒸気によって回転するタービンと、当該タービンの回転によって発電を行う発電機とを有する発電ユニットにおける前記加圧流動床ボイラに供給するＣＷＰを製造するＣＷＰ製造供給装置であって、
原炭を粉砕して粗粉砕炭を生成する粗粉砕炭生成部と、
当該粗粉砕炭生成部で生成された粗粉砕炭の一部を粉砕して微粉炭を生成する微粉炭生成部と、
当該微粉炭生成部で生成された微粉炭に水を加え、混練することによって微粉炭スラリを生成する微粉炭スラリ生成部と、
当該微粉炭スラリ生成部で生成された微粉炭スラリと、前記粗粉砕炭生成部で生成された粗粉砕炭と、石灰石とを混練してＣＷＰを生成するＣＷＰ生成部と、
前記ＣＷＰ生成部で生成されたＣＷＰを収容するＣＷＰタンクと、
前記ＣＷＰタンクから排出されたＣＷＰを回収するＣＷＰ回収ピットと、
前記ＣＷＰ回収ピットから所定の搬送経路を経て移送されたＣＷＰを収容する回収ＣＷＰタンクと、
前記回収ＣＷＰタンクの内部のＣＷＰを前記微粉炭生成部に供給する回収ＣＷＰ供給部と、
前記発電ユニットの発電出力を検知する発電出力検知部と、
日時を計時する計時部と、
発電ユニットの稼働停止予定情報を記憶する稼働予定記憶部と、
前記計時部により計時された日時から前記稼働予定記憶部に記憶された稼働停止予定日時までの期間が所定の期間以下になった状態で、前記発電出力検知部により検知された発電出力が所定値以上になった場合に、前記回収ＣＷＰ供給部を駆動させる回収ＣＷＰ供給制御部と、を備えることを特徴とするＣＷＰ製造供給装置。
【請求項４】
前記微粉炭スラリ生成部で生成された微粉炭スラリの粘度を測定する粘度測定部と、
前記粘度測定部の測定結果が所定の範囲に入っているか否かを判定する粘度判定部をさらに備え、
前記回収ＣＷＰ供給制御部は、
前記粘度判定部により、微粉炭スラリの粘度の値が所定の範囲に入っていると判定された場合に、前記回収ＣＷＰ供給部を駆動することを特徴とする請求項３記載のＣＷＰ製造供給装置。
【請求項５】
日時を計時する計時部と、
発電ユニットの稼働停止予定情報を記憶する稼働予定記憶部と、をさらに備え、
前記回収ＣＷＰ供給制御部は、前記計時部により計時された日時から前記稼働予定記憶部に記憶された稼働停止予定日時までの期間が所定の期間以下になった状態で、前記発電出力検知部により検知された発電出力が所定値以上になった場合に、前記回収ＣＷＰ供給部を駆動させることを特徴とする請求項１又は２記載のＣＷＰ製造供給装置。
【発明の詳細な説明】
【技術分野】
【０００１】
本発明は、加圧流動床ボイラを用いて発電を行う火力発電所に適用され、加圧流動床ボイラに供給するＣＷＰを製造するＣＷＰ製造供給装置に関する。
【背景技術】
【０００２】
従来より、火力発電所において使用されているボイラとして、加圧流動床ボイラが知られている。加圧流動床ボイラでは、粉砕した石炭に水及び石灰石を混ぜてスラリ状にしたＣＷＰ（Ｃｏａｌ  Ｗａｔａｒ  Ｐａｓｔｅ）と称される燃料が用いられる。
【０００３】
ＣＷＰの製造方法について簡単に説明する。まず、原炭を粉砕して粗粉砕炭を生成する。この粗粉砕炭の一部を微粉砕機によって粉砕して微粉炭を生成する。この微粉炭に水を加えて微粉炭スラリを生成する。そして、微粉炭スラリに粗粉砕炭と石灰石を加え、さらに水を加えて粘度調整をしながら混練することによって、ＣＷＰが製造される。
【０００４】
ＣＷＰを燃料とする加圧流動床ボイラの停止時においては、ＣＷＰの搬送系統の詰まり防止のために、ＣＷＰタンク内のＣＷＰをＣＷＰ回収ピットに移送する。さらに、ＣＷＰ回収ピットのＣＷＰの回収用に設けられたＣＷＰポンプを起動することにより、ＣＷＰ回収ピットのＣＷＰを、ＣＷＰ回収配管を介して回収ＣＷＰタンクへ移送することが行われる。そして、ＣＷＰタンク内のＣＷＰが回収ＣＷＰタンクに回収された後、ＣＷＰ回収配管の所定箇所からＣＷＰ回収配管内に洗浄水を流すことにより、ＣＷＰ回収配管を洗浄している。
【０００５】
また、回収ＣＷＰタンクにおいては、加圧流動床ボイラの停止時に余裕を持ってＣＷＰを回収できるように、回収容量を確保しておく必要がある。そこで、加圧流動床ボイラの稼働中に回収ＣＷＰタンク内のＣＷＰを回収して、他の場所に移送している。
【０００６】
また、従来、特許文献１において回収ＣＷＰタンクに移送したＣＷＰを、微粉炭スラリの一部として再利用する技術が提案されている。特許文献１においては、回収ＣＷＰタンクに回収されたＣＷＰを微粉砕機に移送することによって、回収ＣＷＰタンク内の回収容量を確保することが可能になる。
【先行技術文献】
【特許文献】
【０００７】
【特許文献１】特開２００８−１４５０４号公報
【発明の概要】
【発明が解決しようとする課題】
【０００８】
ところで、従来、回収ＣＷＰタンク内のＣＷＰの移送は、担当部署の判断によって実施されていた。しかし、回収ＣＷＰタンク内のＣＷＰの移送を実施する判断基準や実施箇所が不明確であったため、ＣＷＰの移送の実施タイミングが遅れるおそれがあった。
【０００９】
回収ＣＷＰタンク内のＣＷＰを移送するタイミングが遅れると、回収ＣＷＰタンクにおける回収可能な容量が小さいままになる。このような状態において、例えば、トラブルが発生して加圧流動床ボイラを停止させ、ＣＷＰタンク内のＣＷＰを、ＣＷＰ回収ピットを介して回収ＣＷＰタンクに移送した場合、全てのＣＷＰを回収ＣＷＰタンクで回収できないおそれがある。また、回収ＣＷＰタンクで回収しきれないＣＷＰは、プロベスタを使用して貯炭場へ搬送したり、ＣＷＰを貯留する堰を新設してそこに移送したりする、といった作業を行う必要が生じる。これにより、作業員の負担が増加するおそれがある。
【００１０】
本発明は、このような問題点を解決し、回収ＣＷＰタンクの回収容量を安定して確保することを実現したＣＷＰ製造供給装置を提供すること目的とする。
【課題を解決するための手段】
【００１１】
前記目的を達成するため、本発明は、次に記載する構成を備えている。
【００１２】
（１）  ＣＷＰを燃焼する加圧流動床ボイラと、当該加圧流動床ボイラによって生成された蒸気によって回転するタービンと、当該タービンの回転によって発電を行う発電機とを有する発電ユニットにおける前記加圧流動床ボイラに供給するＣＷＰを製造するＣＷＰ製造供給装置であって、原炭を粉砕して粗粉砕炭を生成する粗粉砕炭生成部と、当該粗粉砕炭生成部で生成された粗粉砕炭の一部を粉砕して微粉炭を生成する微粉炭生成部と、当該微粉炭生成部で生成された微粉炭に水を加え、混練することによって微粉炭スラリを生成する微粉炭スラリ生成部と、当該微粉炭スラリ生成部で生成された微粉炭スラリと、前記粗粉砕炭生成部で生成された粗粉砕炭と、石灰石とを混練してＣＷＰを生成するＣＷＰ生成部と、前記ＣＷＰ生成部で生成されたＣＷＰを収容するＣＷＰタンクと、前記ＣＷＰタンクから排出されたＣＷＰを回収するＣＷＰ回収ピットと、前記ＣＷＰ回収ピットから所定の搬送経路を経て移送されたＣＷＰを収容する回収ＣＷＰタンクと、前記回収ＣＷＰタンクの内部のＣＷＰを前記微粉炭生成部に供給する回収ＣＷＰ供給部と、前記発電ユニットの発電出力を検知する発電出力検知部と、前記発電ユニットの起動及び停止状態の履歴を記憶する起動履歴記憶部と、前記ＣＷＰタンク内のＣＷＰ量を検知するＣＷＰ量検知部と、前記ＣＷＰ量検知部による検知結果の履歴を記憶する検知結果記憶部と、前記発電ユニットが停止状態から起動された場合に、前記起動履歴記憶部に記憶された履歴及び前記検知結果記憶部に記憶された履歴に基づいて、前記発電ユニットの停止状態における前記ＣＷＰタンクの内部のＣＷＰ量が所定量以下になったかを判定する判定部と、前記判定部により、前記ＣＷＰタンクの内部のＣＷＰ量が所定量以下になったと判定され、かつ、前記発電出力検知部により検知された発電出力が所定値以上になったと判定された場合に、前記回収ＣＷＰ供給部を駆動させる回収ＣＷＰ供給制御部と、を備えることを特徴とするＣＷＰ製造供給装置。
【００１３】
（１）によれば、前回の発電ユニットの停止時においてＣＷＰタンクからＣＷＰを排出した場合には、そのＣＷＰが回収ＣＷＰタンクに回収されるため、回収ＣＷＰタンク内のＣＷＰの蓄積量が増加する。そこで、前回の発電ユニットの停止時においてＣＷＰタンクからＣＷＰを排出し、さらに発電ユニットの出力電圧が所定値以上になって安定した運転状態にある場合に、回収ＣＷＰ供給部を駆動して、回収ＣＷＰタンク内のＣＷＰを微粉炭生成部に移送する。これにより、ＣＷＰが回収ＣＷＰタンクから微粉炭生成部に安定して移送されるとともに、回収ＣＷＰタンク内の回収容量が増加する。その結果、回収ＣＷＰタンクの回収容量を安定して確保することが可能になる。
【００１４】
（２）  （１）において、前記微粉炭スラリ生成部で生成された微粉炭スラリの粘度を測定する粘度測定部と、前記粘度測定部の測定結果が所定の範囲に入っているか否かを判定する粘度判定部をさらに備え、前記回収ＣＷＰ供給制御部は、前記粘度判定部により、微粉炭スラリの粘度の値が所定の範囲に入っていると判定された場合に、前記回収ＣＷＰ供給部を駆動することを特徴とするＣＷＰ製造供給装置。
【００１５】
（２）によれば、回収ＣＷＰタンク内のＣＷＰには水分が含まれているため、このＣＷＰを微粉炭生成部に移送すると、微粉炭スラリの粘度が低下するおそれがある。そこで、微粉炭スラリの粘度の値が所定の範囲に入っている場合に、回収ＣＷＰタンク内のＣＷＰを微粉炭生成部に移送することにより、微粉炭スラリの粘度を適正にすることが可能になる。
【００１６】
（３）  ＣＷＰを燃焼する加圧流動床ボイラと、当該加圧流動床ボイラによって生成された蒸気によって回転するタービンと、当該タービンの回転によって発電を行う発電機とを有する発電ユニットにおける前記加圧流動床ボイラに供給するＣＷＰを製造するＣＷＰ製造供給装置であって、原炭を粉砕して粗粉砕炭を生成する粗粉砕炭生成部と、当該粗粉砕炭生成部で生成された粗粉砕炭の一部を粉砕して微粉炭を生成する微粉炭生成部と、当該微粉炭生成部で生成された微粉炭に水を加え、混練することによって微粉炭スラリを生成する微粉炭スラリ生成部と、当該微粉炭スラリ生成部で生成された微粉炭スラリと、前記粗粉砕炭生成部で生成された粗粉砕炭と、石灰石とを混練してＣＷＰを生成するＣＷＰ生成部と、前記ＣＷＰ生成部で生成されたＣＷＰを収容するＣＷＰタンクと、前記ＣＷＰタンクから排出されたＣＷＰを回収するＣＷＰ回収ピットと、前記ＣＷＰ回収ピットから所定の搬送経路を経て移送されたＣＷＰを収容する回収ＣＷＰタンクと、前記回収ＣＷＰタンクの内部のＣＷＰを前記微粉炭生成部に供給する回収ＣＷＰ供給部と、前記発電ユニットの発電出力を検知する発電出力検知部と、日時を計時する計時部と、発電ユニットの稼働停止予定情報を記憶する稼働予定記憶部と、前記計時部により計時された日時から前記稼働予定記憶部に記憶された稼働停止予定日時までの期間が所定の期間以下になった状態で、前記発電出力検知部により検知された発電出力が所定値以上になった場合に、前記回収ＣＷＰ供給部を駆動させる回収ＣＷＰ供給制御部と、を備えることを特徴とするＣＷＰ製造供給装置。
【００１７】
（３）によれば、計時部の計時値から稼働停止予定日時までの期間が、所定期間以下になった場合、例えば、計時値が点検日から一ヶ月前に到達した場合で、さらに発電ユニットの出力電圧が所定値以上になって安定した運転状態にある場合に、回収ＣＷＰ供給部を駆動して、回収ＣＷＰタンク内のＣＷＰを微粉炭生成部に移送する。これにより、発電ユニットの稼働停止時には、ＣＷＰタンクのＣＷＰが回収ＣＷＰタンクに移送されるため、回収ＣＷＰタンク内のＣＷＰの蓄積量が増加するが、その前に予め、回収ＣＷＰタンク内の回収容量を確保しておくことが可能になる。
【００１８】
（４）  前記微粉炭スラリ生成部で生成された微粉炭スラリの粘度を測定する粘度測定部と、前記粘度測定部の測定結果が所定の範囲に入っているか否かを判定する粘度判定部をさらに備え、前記回収ＣＷＰ供給制御部は、前記粘度判定部により、微粉炭スラリの粘度の値が所定の範囲に入っていると判定された場合に、前記回収ＣＷＰ供給部を駆動することを特徴とするＣＷＰ製造供給装置。
【００１９】
（４）によれば、回収ＣＷＰタンク内のＣＷＰには水分が含まれているため、このＣＷＰを微粉炭生成部に移送すると、微粉炭スラリの粘度が低下するおそれがある。そこで、微粉炭スラリの粘度の値が所定の範囲に入っている場合に、回収ＣＷＰタンク内のＣＷＰを微粉炭生成部に移送することにより、微粉炭スラリの粘度を適正にすることが可能になる。
【００２０】
（５）  （１）、（２）において、日時を計時する計時部と、発電ユニットの稼働停止予定情報を記憶する稼働予定記憶部と、をさらに備え、前記回収ＣＷＰ供給制御部は、前記計時部により計時された日時から前記稼働予定記憶部に記憶された稼働停止予定日時までの期間が所定の期間以下になった状態で、前記発電出力検知部により検知された発電出力が所定値以上になった場合に、前記回収ＣＷＰ供給部を駆動させることを特徴とするＣＷＰ製造供給装置。
【００２１】
（５）によれば、計時部の計時値から稼働停止予定日時までの期間が、所定期間以下になった場合、例えば、計時値が点検日から一ヶ月前に到達した場合で、さらに発電ユニットの出力電圧が所定値以上になって安定した運転状態にある場合に、回収ＣＷＰ供給部を駆動して、回収ＣＷＰタンク内のＣＷＰを微粉炭生成部に移送する。これにより、発電ユニットの稼働停止時には、ＣＷＰタンクのＣＷＰが回収ＣＷＰタンクに移送されるため、回収ＣＷＰタンク内のＣＷＰの蓄積量が増加するが、その前に予め、回収ＣＷＰタンク内の回収容量を確保しておくことが可能になる。
【発明の効果】
【００２２】
本発明によれば、回収ＣＷＰタンクにＣＷＰが増加した場合、あるいはＣＷＰが増加する時期が近い場合に、回収ＣＷＰタンクのＣＷＰを微粉炭生成部に移送することにより、回収ＣＷＰタンクの回収容量を安定して確保することが可能になる。
【図面の簡単な説明】
【００２３】
【図１】加圧流動床ボイラを用いた火力発電施設の概要を示す説明図である。
【図２】本発明の一実施形態における配管系統を示す説明図である。
【図３】ＣＷＰタンクのＣＷＰの搬送系統を示す説明図である。
【図４】ＣＷＰ回収ピットから回収ＣＷＰタンクまでのＣＷＰの移送経路を示す説明図である。
【図５】回収燃料供給ポンプを駆動制御する制御回路を示すブロック図である。
【図６】ＣＷＰ量判定処理を示すフローチャートである。
【図７】ユニット起動時処理を示すフローチャートである。
【図８】回収ＣＷＰ供給処理を示すフローチャートである。
【図９】回収ＣＷＰ供給処理を示すフローチャートである。
【発明を実施するための形態】
【００２４】
以下、本発明の実施形態について、図面を参照しながら詳細に説明する。
【００２５】
［ＣＷＰ製造供給装置及び発電ユニット］
図１は、加圧流動床ボイラを用いた火力発電施設の概要を示す説明図である。火力発電施設３００は、ＣＷＰ製造供給装置１及び発電ユニット５を備えている。
【００２６】
ＣＷＰ製造供給装置１は、原炭バンカ１０、粗粉砕炭生成部に相当する粗粉砕機１２、分級機１４、粗粉砕炭中継ホッパ１６、微粉炭生成部及び微粉炭スラリ生成部に相当する微粉砕機１８、石灰石ホッパ２０、ＣＷＰ生成部に相当する混練機２２、ＣＷＰタンク２４、及びＣＷＰポンプ２６を備えている。
【００２７】
また、発電ユニット５は、Ａ火炉３０、Ｂ火炉３２、タービン３４、発電機３６、復水器（図示せず）及び灰処理装置（図示せず）等を備えている。
【００２８】
ＣＷＰ製造供給装置１において、原炭バンカ１０は、原炭を一時貯蔵するものであり、本実施形態においては、種類が異なる２種類の石炭をそれぞれ貯蔵する２つのバンカを備えている。そして、原炭バンカ１０からそれぞれ原炭が搬送され、所定の比率で混合されて粗粉砕機１２に供給される。
【００２９】
粗粉砕機１２は、原炭バンカ１０から搬送された原炭を粉砕して粒状にするものである。粒状になった原炭（以下、粗粉砕炭と称する）は、分級機１４に搬送される。
【００３０】
分級機１４は、粗粉砕機１２から搬送された粗粉砕炭を、粒の大きさ毎に仕分けるものである。所定の粒径以下の原炭は、粗粉砕炭中継ホッパ１６に搬送され、所定の粒径よりも大きい粗粉砕炭は、粗粉砕機１２に搬送されて再び粉砕される。
【００３１】
粗粉砕炭中継ホッパ１６は、分級機１４によって選別された粗粉砕炭を一時的に貯蔵するものである。粗粉砕炭中継ホッパ１６に貯蔵された粗粉砕炭は、微粉砕機１８及び混練機２２に搬送される。
【００３２】
微粉砕機１８は、粗粉砕炭中継ホッパ１６から搬送された粗粉砕炭を粉砕して微粉炭を生成するものである。ここで、粗粉砕炭を粉砕する際に、微粉砕機１８に水が供給されることによって、微粉炭は水と混じり合ってスラリ化される。そして、微粉砕機１８において生成された微粉炭スラリは、混練機２２に搬送される。
【００３３】
石灰石ホッパ２０は、粉砕された石灰石を一時貯蔵するものであり、粉砕された石灰石は、混練機２２に搬送される。
【００３４】
混練機２２は、粗粉砕炭中継ホッパ１６から搬送された粗粉砕炭、微粉砕機１８から搬送された微粉炭スラリ、及び石灰石ホッパ２０から搬送された石灰石を混練して、ＣＷＰを生成するものである。なお、混練の際に、適宜水が加えられて、粘度調整が行われる。
【００３５】
ＣＷＰタンク２４は、混練機２２から搬送されたＣＷＰを一時貯蔵するものである。このＣＷＰタンク２４内のＣＷＰは、ＣＷＰポンプ２６によってＡ火炉３０に圧送される。また、ＣＷＰタンク２４は、Ａ火炉３０に対して２つ設けられている。
【００３６】
なお、図１には、Ａ火炉３０に供給するＣＷＰ製造系統（以下、Ａ−ＣＷＰ製造系統と称する）、すなわち、原炭バンカ１０、粗粉砕機１２、分級機１４、粗粉砕炭中継ホッパ１６、微粉砕機１８、石灰石ホッパ２０、混練機２２、ＣＷＰタンク２４及びＣＷＰポンプ２６からなるＡ−ＣＷＰ製造系統を示しているが、Ｂ火炉３０についても同様のＣＷＰ製造系統（以下、Ｂ−ＣＷＰ製造系統と称する）が設けられている。このため、Ｂ火炉３２に対してもＣＷＰタンク２４は２つ設けられている。
【００３７】
また、Ａ−ＣＷＰ製造系統の粗粉砕炭は、Ｂ−ＣＷＰ製造系統の粗粉砕炭中継ホッパ１６にも搬送され、逆に、Ｂ火炉３２にＣＷＰを供給するＣＷＰ製造系統の粗粉砕炭は、Ａ火炉３０にＣＷＰを供給するＣＷＰ製造系統の粗粉砕炭中継ホッパ１６にも搬送される。また、Ａ−ＣＷＰ製造系統のＣＷＰは、Ｂ−ＣＷＰ製造系統のＣＷＰタンク２４にも搬送される。逆に、Ｂ−ＣＷＰ製造系統のＣＷＰは、Ａ−ＣＷＰ製造系統のＣＷＰタンク２４にも搬送される。
【００３８】
Ａ火炉３０及びＢ火炉３０内において、ＣＷＰポンプ２６によって投入されたＣＷＰは、所定の高さでふわふわと浮いた状態、すなわち流動状態となり、この流動状態の石炭を燃やすことによって流動床燃焼を発生させてＡ火炉３０及びＢ火炉３０内の配管を加熱する。そして、配管を通る水を水蒸気にして、タービン３４に供給することによって発電機３６が回転する。これにより、発電が行われる。タービン３４に供給した水蒸気は、復水器（図示せず）によって復水され、Ａ火炉３０及びＢ火炉３０に再び供給される。また、Ａ火炉３０及びＢ火炉３０内の炉底に落下した石炭灰は、灰処理装置（図示せず）に搬送され、また、Ａ火炉３０及びＢ火炉３０内において発生した燃焼ガスに含まれる灰は、所定の処理が施された後に、灰処理装置（図示せず）に搬送される。
【００３９】
［ＣＷＰ製造供給装置の配管系統］
図２は、本発明の一実施形態における配管系統を示す説明図である。本実施形態の配管系統としては、微粉砕機１８で生成した微粉炭スラリを混練機２２に移送する微粉炭スラリ移送系統、微粉砕機１８で生成した微粉炭スラリを回収する微粉炭スラリ回収系統、ＣＷＰタンク２４のＣＷＰ及び混練機２２のＣＷＰを回収するＣＷＰ回収系統、及び微粉炭スラリ回収系統及びＣＷＰ回収系統によって回収された微粉炭スラリやＣＷＰからなる回収燃料を微粉砕機１８に供給する回収燃料供給系統が備えられている。なお、以下の説明において、Ａ−ＣＷＰ製造系統の機材あるいは配管については、符号にＡを付加し、Ｂ−ＣＷＰ製造系統の機材あるいは配管については、符号にＢを付加することにする。
【００４０】
微粉炭スラリ移送系統は、スラリ中継タンク４０Ａ、４０Ｂ、スラリ移送配管４２Ａ、４２Ｂ、スラリ移送ポンプ４４Ａ、４４Ｂ、スラリサービスタンク４６、スラリ供給配管４８Ａ、４８Ｂ及びスラリ供給ポンプ５０Ａ、５０Ｂ、スラリ移送ポンプ入口弁１００Ａ、１００Ｂを備えている。
【００４１】
微粉砕機１８Ａから混練機２２までの経路には、スラリ中継タンク４０Ａ、スラリ移送配管４２Ａ、スラリ移送ポンプ４４Ａ、スラリサービスタンク４６、スラリ供給配管４８Ａ及びスラリ供給ポンプ５０Ａが配備されている。同様に、微粉砕機１８Ｂから混練機２２までの経路には、スラリ中継タンク４０Ｂ、スラリ移送配管４２Ｂ、スラリ移送ポンプ４４Ｂ、スラリサービスタンク４６、スラリ供給配管４８Ｂ及びスラリ供給ポンプ５０Ｂが配備されている。
【００４２】
スラリ中継タンク４０Ａは、微粉砕機１８Ａで生成した微粉炭スラリを一時的に貯蔵するものである。スラリ中継タンク４０Ｂは、微粉砕機１８Ｂで生成した微粉炭スラリを一時的に貯蔵するものである。
【００４３】
スラリ移送配管４２Ａは、スラリ中継タンク４０Ａとスラリサービスタンク４６とを連結する配管であり、スラリ移送配管４２Ａには、スラリ移送ポンプ４４Ａが設けられている。同様に、スラリ移送配管４２Ｂは、スラリ中継タンク４０Ｂとスラリサービスタンク４６とを連結する配管であり、スラリ移送配管４２Ｂには、スラリ移送ポンプ４４Ｂが設けられている。また、スラリ移送配管４２Ａにおける、スラリ中継タンク４０Ａとスラリ移送ポンプ４４Ａとの間には、スラリ移送ポンプ入口弁１００Ａが設けられている。また、スラリ中継タンク４０Ｂとスラリ移送ポンプ４４Ｂとの間には、スラリ移送ポンプ入口弁１００Ｂが設けられている。
【００４４】
スラリサービスタンク４６は、スラリ中継タンク４０Ａ及びスラリ中継タンク４０Ｂから移送された微粉炭スラリを一時的に貯蔵するものである。スラリサービスタンク４６には、スラリ供給配管４８Ａ及びスラリ供給配管４８Ｂが連結されている。スラリ供給配管４８Ａには、スラリ供給ポンプ５０Ａが設けられており、スラリ供給配管４８Ｂには、スラリ供給ポンプ５０Ｂが設けられている。スラリ供給配管４８Ａ及びスラリ供給配管４８Ｂは、混練機２２Ａ及び混練機２２に連結されている。
【００４５】
そして、スラリ移送ポンプ４４Ａ、４４Ｂを起動することにより、スラリ中継タンク４０Ａ、４０Ｂの微粉炭スラリが、スラリ移送配管４２Ａ、４２Ｂを介してスラリサービスタンク４６に移送される。また、スラリ供給ポンプ５０Ａ、５０Ｂを起動することにより、スラリサービスタンク４６内の微粉炭スラリが、混練機２２Ａ又は混練機２２Ｂに供給される。
【００４６】
微粉炭スラリ回収系統は、タンク内スラリ回収配管５２、真空耐摩耗ホース５３、スラリ排出配管５４Ａ、５４Ｂ、スラリ回収ピット５６、回収ＣＷＰタンク５８、スラリ回収配管６０、スラリ回収ポンプ６２を備えている。
【００４７】
タンク内スラリ回収配管５２は、スラリ供給配管４８Ａ、４８Ｂから分岐した配管であり、スラリ供給ポンプ５０Ａ、５０Ｂによって圧送されるスラリサービスタンク４６内の微粉炭スラリを、回収ＣＷＰタンク５８に案内するものである。
【００４８】
真空耐摩耗ホース５３は、スラリサービスタンク４６と回収燃料供給ポンプ９４とを連結する仮設ホースである。スラリサービスタンク４６の微粉炭スラリは、回収燃料供給系統の回収燃料供給ポンプ９４によって圧送され、真空耐摩耗ホース５３、回収燃料供給配管９６、及び回収燃料循環配管９８を通って回収ＣＷＰタンク５８に移送される。
【００４９】
スラリ排出配管５４Ａは、スラリ中継タンク４０Ａに連結されており、スラリ排出配管５４Ａには、スラリ中継タンクブロー弁１０２Ａが設けられている。同様に、スラリ排出配管５４Ｂは、スラリ中継タンク４０Ｂに連結されており、スラリ排出配管５４Ｂには、スラリ中継タンクブロー弁１０２Ｂが設けられている。スラリ排出配管５４Ａ及びスラリ排出配管５４Ｂは、スラリ中継タンク４０Ａ及びスラリ中継タンク４０Ｂ内の微粉炭スラリを排出する際に用いる配管である。
【００５０】
スラリ回収ピット５６は、スラリ中継タンク４０Ａ及びスラリ中継タンク４０Ｂから排出された微粉炭スラリを回収するものである。スラリ中継タンクブロー弁１０２Ａ、１０２Ｂを開放状態にすることにより、スラリ排出配管５４Ａ及びスラリ排出配管５４Ｂを通った微粉炭スラリは、スラリ回収ピット５６に回収される。
【００５１】
回収ＣＷＰタンク５８は、微粉炭スラリ回収系統によって回収された微粉炭スラリ、及びＣＷＰ回収系統によって回収されたＣＷＰを収容するものである。スラリ回収ピット５６と回収ＣＷＰタンク５８とは、スラリ回収配管６０によって連結されており、スラリ回収配管６０にはスラリ回収ポンプ６２が設けられている。そして、スラリ回収ポンプ６２を起動することによって、スラリ回収ピット５６に回収された微粉炭スラリは、回収ＣＷＰタンク５８に移送される。
【００５２】
ＣＷＰ回収系統は、ＣＷＰ排出配管６４、６６、ＣＷＰポンプ２６、ＣＷＰ回収ピット６８、ＣＷＰ回収配管７０、ＣＷＰ回収ポンプ７２、ドレン配管７４、分岐配管７６、７８、８０、ＣＷＰ回収ポンプ出口弁１０４、回収ＣＷＰ移送切替弁１０６、回収ＣＷＰ移送止弁１０８、回収ＣＷＰ微粉砕機移送切替弁１１０、Ａ微粉砕機回収ＣＷＰ入口弁１１２、Ｂ微粉砕機回収ＣＷＰ入口弁１１４、ＣＷＰ回収ポンプ出口ドレン弁１１６、回収ＣＷＰ移送配管パージ水弁１２０、入口圧力計開閉弁１２２、出口圧力計開閉弁１２４、洗浄水配管１５０、洗浄水供給装置１６０、入口圧力計１７０、出口圧力計１７２を備えている。また、ＣＷＰ回収系統は、微粉炭スラリ回収系統のＣＷＰ回収系統の一部として使用される。
【００５３】
ＣＷＰ排出配管６４は、Ａ火炉３０、Ｂ火炉３２及び補機の停止時において、ＣＷＰの製造を停止する際に、混練機２２Ａ、２２Ｂ内のＣＷＰを案内してＣＷＰ回収ピット６８に排出させるためのものである。
【００５４】
ＣＷＰ排出配管６６は、Ａ火炉３０、Ｂ火炉３２及び補機の停止時において、ＣＷＰの製造を停止する際に、ＣＷＰタンク２４Ａ、２４Ｂ内のＣＷＰを案内してＣＷＰ回収ピット６８に排出させるためのものである。なお、ＣＷＰタンク２４Ａ、２４Ｂ内のＣＷＰを排出する際には、ＣＷＰポンプ２６が使用される。すなわち、ＣＷＰの搬送経路をＡ火炉３０又はＢ火炉３２に向かう配管から、ＣＷＰ排出配管６６に切り替えた後に、ＣＷＰポンプ２６を起動させることによって、ＣＷＰタンク２４Ａ、２４Ｂ内のＣＷＰがＣＷＰ排出配管６６を通ってＣＷＰ回収ピット６８に排出される。
【００５５】
ＣＷＰ回収ピット６８は、混練機２２Ａ、２２Ｂ及びＣＷＰタンク２４Ａ、２４Ｂから回収したＣＷＰを収容するものである。
【００５６】
ＣＷＰ回収配管７０は、ＣＷＰ回収ピット６８に収容されたＣＷＰを移送するためのものであり、ＣＷＰ回収配管７０の一端部はＣＷＰ回収ピット６８に設置され、他端部は、分岐配管７８と分岐配管８０に分岐しており、分岐配管７８は微粉砕機１８Ａに、分岐配管８０は微粉砕機１８Ｂに配置されている。
【００５７】
ドレン配管７４は、ＣＷＰ回収配管７０から分岐して、ＣＷＰ回収ピット６８に向かって延びる配管である。ドレン配管７４は、ＣＷＰ回収配管７０の洗浄後に、ＣＷＰ回収配管７０内の洗浄水をＣＷＰ回収ピット６８に抜き取るためのものである。
【００５８】
分岐配管７６は、ＣＷＰ回収配管７０におけるＣＷＰ回収配管７０とドレン配管７４の分岐部位よりも、他端側の部位から分岐して、回収ＣＷＰタンク５８に向かって延びる配管である。
【００５９】
また、ＣＷＰ回収配管７０には、ＣＷＰ回収ピット６８から微粉砕機１８Ａ、１８Ｂに向かって、ＣＷＰ回収ポンプ７２、ＣＷＰ回収ポンプ出口弁１０４、回収ＣＷＰ移送切替弁１０６、回収ＣＷＰ微粉砕機移送切替弁１１０の順で設けられている。
【００６０】
ＣＷＰ回収ポンプ７２は、ＣＷＰ回収配管７０とドレン配管７４との分岐部位よりも、ＣＷＰ回収配管７０の一端部側に設けられ、ＣＷＰ回収配管７０内に加える圧力を正逆方向に切り替える機能を備えている。ＣＷＰ回収ポンプ７２が正作動する場合には、ＣＷＰ回収ピット６８のＣＷＰを微粉砕機１８Ａ、１８Ｂに向かって圧送させることができる。
【００６１】
ＣＷＰ回収ポンプ出口弁１０４は、ＣＷＰ回収配管７０とドレン配管７４との分岐部位と、ＣＷＰ回収配管７０と分岐配管７６の分岐部位との間に設けられ、ＣＷＰ回収配管７０を開閉するものである。
【００６２】
回収ＣＷＰ移送切替弁１０６は、ＣＷＰ回収配管７０と分岐配管７６の分岐部位に設けられ、ＣＷＰ回収配管７０と分岐配管７６のいずれか一方を開放したときに、他方を閉鎖するものである。なお、回収ＣＷＰ移送止弁１０８は、通常状態において、分岐配管７６を閉鎖し、ＣＷＰ回収配管７０を開放としており、回収ＣＷＰ移送止弁１０８の操作は禁止されている。
【００６３】
回収ＣＷＰ微粉砕機移送切替弁１１０は、ＣＷＰ回収配管７０の他端部に設けられ、ＣＷＰ回収配管７０から分岐配管７８への経路、及びＣＷＰ回収配管７０から分岐配管８０への経路のいずれか一方を開放したときに、他方を閉鎖するものである。本実施形態においては、回収ＣＷＰ移送止弁１０８は、ＣＷＰ回収配管７０から分岐配管７８への経路を開放するものとして説明する。
【００６４】
回収ＣＷＰ移送止弁１０８は、分岐配管７６を開閉するものである。Ａ微粉砕機回収ＣＷＰ入口弁１１２は、分岐配管７８を開閉するものである。Ｂ微粉砕機回収ＣＷＰ入口弁１１４は、分岐配管８０を開閉するものである。ＣＷＰ回収ポンプ出口ドレン弁１１６は、ドレン配管７４を開閉するものである。回収ＣＷＰ移送止弁１０８、Ａ微粉砕機回収ＣＷＰ入口弁１１２、Ｂ微粉砕機回収ＣＷＰ入口弁１１４は、通常、開放状態となっている。
【００６５】
すなわち、ＣＷＰ回収ピット６８に回収されたＣＷＰは、ＣＷＰ回収配管７０を介して微粉砕機１８Ａに送られる。この微粉砕機１８ＡにおいてＣＷＰは、粗粉砕炭成分が粉砕されてから、スラリ中継タンク４０Ａ、スラリ排出配管５４Ａ、スラリ回収ピット５６、スラリ回収配管６０を通って回収ＣＷＰタンク５８に送られる。
【００６６】
また、図２に示すように、洗浄水配管１５０が、ＣＷＰ回収配管７０におけるＣＷＰ回収ポンプ出口弁１０４と回収ＣＷＰ移送切替弁１０６との間に接続されており、洗浄水供給装置１６０及び回収ＣＷＰ移送配管パージ水弁１２０は、洗浄水配管１５０に設けられている。そして、回収ＣＷＰ移送配管パージ水弁１２０を開放して洗浄水配管１５０に洗浄水を供給することによって、ＣＷＰ回収配管７０が洗浄水によって洗浄される。
【００６７】
また、入口圧力計１７０及び出口圧力計１７２は、ＣＷＰ回収配管７０内の水圧力を検知するものである。入口圧力計１７０は、ＣＷＰ回収配管７０におけるＣＷＰ回収ポンプ７２に対してＣＷＰの移送方向上流側に、入口圧力計開閉弁１２２を介して設けられている。また、出口圧力計１７２は、ＣＷＰ回収配管７０におけるＣＷＰ回収ポンプ７２に対してＣＷＰの移送方向下流側に、出口圧力計開閉弁１２４を介して設けられている。
【００６８】
回収燃料供給系統は、回収ＣＷＰ供給部に相当する回収燃料供給ポンプ９４、回収燃料供給配管９６、回収燃料循環配管９８及び切替弁９９を備えている。
【００６９】
回収燃料供給配管９６は、一端部が回収ＣＷＰタンク５８に連結し、他端部が微粉砕機１８に連結している。
【００７０】
回収燃料供給ポンプ９４は、回収燃料供給配管９６に設けられており、回収燃料供給ポンプ９４を駆動することにより、回収ＣＷＰタンク５８内の回収燃料が微粉砕機１８に圧送される。
【００７１】
回収燃料循環配管９８は、回収燃料供給配管９６から分岐して回収ＣＷＰタンク５８に連結する配管である。
【００７２】
切替弁９９は、回収燃料供給配管９６と回収燃料循環配管９８との分岐部位に設けられ、回収ＣＷＰタンク５８内の回収燃料の搬送経路を、回収燃料供給配管９６及び回収燃料循環配管９８のいずれかに切り替えるものである。
【００７３】
回収ＣＷＰタンク５８内の回収燃料の微粉砕機１８への移送は、発電ユニット５の運転中に回収燃料供給ポンプ９４を駆動することによって行われる。これにより、回収ＣＷＰタンク５８内の回収燃料が微粉砕機１８に回収され、回収ＣＷＰタンク５８内の回収容量が増加する。
【００７４】
なお、回収ＣＷＰタンク５８内の回収燃料を微粉砕機１８に移送する前に、切替弁９９を回収燃料循環配管９８側に切り替え、回収燃料供給ポンプ９４を駆動する。回収燃料供給ポンプ９４を駆動すると、回収ＣＷＰタンク５８内の回収燃料が回収燃料供給配管９６から回収燃料循環配管９８を通って回収ＣＷＰタンク５８に戻される、という循環運転が行われる。これにより、回収ＣＷＰタンク５８内の回収燃料が撹拌されて、微粉炭の分布が均一なものとなる。
【００７５】
［停止時の燃料回収及び洗浄］
Ａ火炉３０、Ｂ火炉３２及び補機の停止、あるいはＣＷＰの製造を停止する際には、ＣＷＰ製造供給装置１内の微粉炭スラリやＣＷＰを回収し、さらに微粉炭スラリやＣＷＰが通過した系統を洗浄する必要がある。具体的には、スラリ中継タンク４０Ａ、４０Ｂ内の微粉炭スラリの排出、ＣＷＰタンク２４及びＣＷＰポンプ２６内ＣＷＰの排出、ＣＷＰタンク２４の水洗、スラリ移送配管４２Ａ、４２Ｂの洗浄、スラリ供給配管４８Ａ、４８Ｂの洗浄、混練機２２の槽内のＣＷＰ排出、微粉砕機１８のドラム内の水洗及びブロー、スラリ回収配管６０の洗浄、ＣＷＰ回収配管７０の洗浄、スラリサービスタンク４６内のスラリの移送、を実行する。
【００７６】
まず、スラリ移送ポンプ入口弁１００Ａ、１００Ｂを閉じ、スラリ中継タンクブロー弁１０２Ａ、１０２Ｂを開放して、スラリ中継タンク４０Ａ、４０Ｂ内の微粉炭スラリをスラリ回収ピット５６に移送し、スラリ回収ポンプ６２を起動させて、スラリ回収ピット５６の微粉炭スラリを回収ＣＷＰタンク５８に移送する。
【００７７】
ＣＷＰタンク２４内のＣＷＰ、ＣＷＰポンプ２６内のＣＷＰの排出については、図３を用いて詳述するが、ＣＷＰタンク２４及びＣＷＰポンプ２６内のＣＷＰは、ＣＷＰポンプ２６を起動させることによって、ＣＷＰ回収ピット６８に排出される。
【００７８】
ＣＷＰ回収ピット６８のＣＷＰは、ＣＷＰ回収ポンプ７２を正転起動させることにより、微粉砕機１８Ａに移送される。そして、移送されたＣＷＰは、微粉砕機１８Ａによって粉砕され、スラリ回収ピット５６、スラリ回収配管６０を通って回収ＣＷＰタンク５８に送られる。
【００７９】
なお、ＣＷＰタンク２４内のＣＷＰの排出と、微粉砕機１８Ａ、１８ＢによるＣＷＰの粉砕と、スラリ回収ピット５６に移送されたＣＷＰの回収とは同時進行で行う。これにより、ＣＷＰ回収ピット６８に排出されるＣＷＰを一時的に貯蔵するために必要な空きスペースを確保することが可能になる。
【００８０】
ＣＷＰタンク２４の水洗は、ＣＷＰ排出後のＣＷＰタンク２４内の点検のために実施される作業である。
【００８１】
スラリ移送配管４２Ａ、４２Ｂの洗浄は、スラリ中継タンク４０Ａ、４０Ｂの微粉炭スラリ排出後に、できるだけ早めに（例えば、スラリ移送ポンプ４４Ａ、４４Ｂの停止後一週間以内）実施する。スラリ供給配管４８Ａ、４８Ｂの洗浄は、スラリ供給ポンプ５０Ａ、５０Ｂの停止後に、できるだけ早めに（例えば、停止後一週間以内）実施する。
【００８２】
混練機２２の槽内のＣＷＰ排出は、Ａ火炉３０、Ｂ火炉３２及び補機の停止後、一ヶ月以内であれば実施可能であるが、できるだけ早めに（一週間以内）実施するのが望ましい。
【００８３】
微粉砕機１８のドラム内の水洗及びブローは、Ａ火炉３０、Ｂ火炉３２及び補機の停止後、できるだけ早めに（一週間以内）実施するのが望ましい。
【００８４】
スラリ回収配管６０の洗浄は、配管使用後、迅速に（配管使用後１週間以内）実施する。
【００８５】
ＣＷＰ回収配管７０の洗浄は、配管使用後、迅速に（配管使用後５分以内）実施する。すなわち、スラリ回収配管６０内には、微粉炭スラリが通過するため、回収時に配管内に残留しにくく、配管詰まりが発生しにくい。それに対して、ＣＷＰ回収配管７０内には、ＣＷＰに含まれる粗粉砕炭成分が、回収時に配管内に残留するおそれがあるため、配管使用後５分以内に洗浄を行うことが望ましい。
【００８６】
スラリサービスタンク４６内の微粉炭スラリの移送は、例えば、発電ユニット５の長期停止時において実施されるものであり、スラリ供給ポンプ５０Ａ、５０Ｂを使用して、スラリサービスタンク４６内の微粉炭スラリを、タンク内スラリ回収配管５２を介して、回収ＣＷＰタンク５８に移送する。次に、スラリサービスタンク４６に真空耐摩耗ホース５３を繋ぎ込み、回収燃料供給ポンプ９４を用いてスラリサービスタンク４６内に残った微粉炭スラリを、真空耐摩耗ホース５３を介して回収ＣＷＰタンク５８に移送する。さらに、スラリサービスタンク４６内の微粉炭スラリがスラリ供給ポンプ５０Ａ、５０Ｂによって回収ＣＷＰタンク５８に移送された後に、スラリサービスタンク４６内に残存する微粉炭スラリをプロベスタ（吸引装置）で吸引し、貯炭場に移送する。
【００８７】
［ＣＷＰタンクのＣＷＰの移送］
図３は、ＣＷＰタンクのＣＷＰの移送系統を示す説明図である。前述したようにＣＷＰタンク２４（２４Ａ、２４Ｂ）は、Ａ火炉３０、Ｂ火炉３２にそれぞれ２体設けられている。
【００８８】
図３に示すように、ＣＷＰタンク２４のＣＷＰの移送系統は、ＣＷＰポンプ２６、ＣＷＰ供給配管８２、遮断弁８４、切替弁８６、ＣＷＰ戻り配管８８、分岐配管９０、ドレン弁９２、及びＣＷＰ排出配管６６を備えている。
【００８９】
ＣＷＰ供給配管８２は、ＣＷＰタンク２４のＣＷＰをＡ火炉３０又はＢ火炉３２に案内するものである。ＣＷＰ供給配管８２には、遮断弁８４、ＣＷＰポンプ２６及び切替弁８６が設けられている。また、ＣＷＰ供給配管８２には、ＣＷＰ供給配管８２から分岐してＣＷＰタンク２４に戻るＣＷＰ戻り配管８８が設けられている。
【００９０】
遮断弁８４は、ＣＷＰ供給配管８２におけるＣＷＰタンク２４とＣＷＰポンプ２６との間に設けられ、ＣＷＰ供給配管８２を開閉するものである。
【００９１】
切替弁８６は、ＣＷＰ供給配管８２におけるＣＷＰ戻り配管８８との分岐部位に設けられ、ＣＷＰ供給配管８２とＣＷＰ戻り配管８８との一方を開放し、他方を閉鎖するものである。
【００９２】
ＣＷＰ戻り配管８８は、ＣＷＰ供給配管８２内のＣＷＰをＣＷＰタンク２４に戻すものである。
【００９３】
すなわち、ＣＷＰをＡ火炉３０又はＢ火炉３２に供給する場合には、ＣＷＰ供給配管８２を開放状態とするように切替弁８６を切り替え、ＣＷＰ供給配管８２内のＣＷＰをＣＷＰタンク２４に戻す場合には、ＣＷＰ戻り配管８８を開放状態とするように切替弁８６を切り替える。
【００９４】
分岐配管９０は、ＣＷＰ戻り配管８８から分岐した配管であり、ＣＷＰ排出配管６６に連結されている。
【００９５】
ドレン弁９２は、ＣＷＰ戻り配管８８における分岐配管９０の分岐部位に設けられ、ＣＷＰ戻り配管８８の開閉を行う。すなわち、ドレン弁９２は、分岐配管９０を開放した場合にＣＷＰ戻り配管８８の閉鎖を行い、分岐配管９０を閉鎖した場合にＣＷＰ戻り配管８８の開放を行うものである。
【００９６】
このように、ＣＷＰポンプ２６、ＣＷＰ供給配管８２、遮断弁８４、切替弁８６、ＣＷＰ戻り配管８８、分岐配管９０、ドレン弁９２によって構成された配管系統が、本実施形態においては、１つのＣＷＰタンク２４に５組設けられている。また、Ａ火炉３０、Ｂ火炉３２にはそれぞれ２体のＣＷＰタンク２４が設けられているため、前述した配管系統は、合計２０組設けられている。
【００９７】
Ａ火炉３０の２体のＣＷＰタンク２４にそれぞれ５組設けられた配管系統の分岐配管９０は、１本のＣＷＰ排出配管６６に接続されている。同様に、Ｂ火炉３２の２体のＣＷＰタンク２４にそれぞれ５組設けられた配管系統の分岐配管９０は、１本のＣＷＰ排出配管６６に接続されている。
【００９８】
そして、ＣＷＰタンク２４内のＣＷＰをＣＷＰ回収ピット６８に排出させる際には、ＣＷＰタンク２４に設けられている５組の配管系統の中の１組の配管系統の遮断弁８４、切替弁８６、ドレン弁９２を切り替えて、ＣＷＰがＣＷＰ排出配管６６に移送される搬送系統を作成する。そして、ＣＷＰポンプ２６を起動させることにより、ＣＷＰタンク２４内のＣＷＰがＣＷＰ回収ピット６８に排出される。
【００９９】
このように、ＣＷＰタンク２４内のＣＷＰをＣＷＰ回収ピット６８に排出させる際に、１組の配管系統のＣＷＰタンク２４を用いて排出させることにより、ＣＷＰ回収ピット６８内に、一度に大量のＣＷＰが移送されることを防ぐことができる。これにより、ＣＷＰ排出配管６６、分岐配管９０における配管詰まりの発生を防止することが可能になる。
【０１００】
なお、他の４組の配管系統においては、ＣＷＰポンプ２６が停止状態にあり、遮断弁８４、切替弁８６、ドレン弁９２は閉鎖状態にある。これにより、ＣＷＰタンク２４内のＣＷＰがＣＷＰ排出配管６６を通ってＣＷＰ回収ピット６８に移送する際に、ＣＷＰ排出配管６６を通るＣＷＰがＣＷＰ供給配管８２に進入して塞いでしまうという不具合を防止することができる。また、ＣＷＰタンク２４内のＣＷＰの排出を早急に行う場合には、複数の配管系統、例えば２組のＣＷＰポンプ２６を起動させてもよい。
【０１０１】
［ＣＷＰの移送経路］
図４は、ＣＷＰ回収ピットから回収ＣＷＰタンクまでのＣＷＰの移送経路を示す説明図である。図４を参照しながら、ＣＷＰ回収ピット６８内のＣＷＰを回収ＣＷＰタンク５８に移送するまでの、各種の機材や弁の操作手順について説明する。なお、以下の説明においては、微粉砕機１８ＡでＣＷＰの粗粉砕炭成分を粉砕する場合について説明する。
【０１０２】
まず、予め、回収ＣＷＰタンク５８においてＣＷＰの受け入れが可能であるかを確認しておく。さらに、スラリ回収ピット５６内の微粉炭スラリの量を少なくして、回収レベルを下げておく。次に、スラリ移送ポンプ４４Ａを停止し、スラリ移送ポンプ入口弁１００Ａを閉鎖状態とし、スラリ中継タンクブロー弁１０２Ａを開放し、スラリ回収ポンプ６２を自動運転とする。
【０１０３】
次に、Ａ微粉砕機回収ＣＷＰ入口弁１１２が開放状態であることを確認し、回収ＣＷＰ移送切替弁１０６が微粉砕機１８側であることを確認する。回収ＣＷＰ微粉砕機移送切替弁１１０が微粉砕機１８Ａ側であることを確認し、微粉砕機１８Ａの入口ゲート弁（図示せず）を開放する。さらに、微粉砕機１８Ｂには給炭しない状態とし、微粉砕機１８Ａの出口ゲート弁（図示せず）を開放する。
【０１０４】
次に、注水ポンプ（図示せず）を起動して微粉砕機１８Ａへの注水を行い、微粉砕機１８を起動し、ＣＷＰ回収ポンプ７２を起動して、ＣＷＰ回収ピット６８内のＣＷＰを微粉砕機１８Ａに移送し、粗粉砕炭成分を粉砕してスラリ回収ピット５６に移送する。スラリ回収ピット５６に移送されたＣＷＰは、スラリ回収ピット５６におけるＣＷＰの回収レベルに応じてスラリ回収ポンプ６２が起動して、回収ＣＷＰタンク５８に移送される。
【０１０５】
なお、微粉炭が配管詰まりの原因になることはほとんどない。このため、微粉砕機１８から回収ＣＷＰタンク５８までの移送経路において、配管詰まりが発生することはほとんどない。
【０１０６】
ＣＷＰ回収ピット６８からＣＷＰのスラリ回収ピット５６にＣＷＰを移送している間に、配管系統を洗浄する準備を行う。具体的には、入口圧力計開閉弁１２２を閉じて、出口圧力計１７２によって洗浄水の圧力を確認できる状態にする。そして、ＣＷＰの移送が完了した後、ＣＷＰ回収ポンプ７２、微粉砕機１８Ａ及び注水ポンプ（図示しない）を停止する。なお、微粉砕機１８Ａの入口フィーダ（図示せず）は、次の配管洗浄の作業が終了するまで連続運転される。
【０１０７】
［回収燃料供給系統の制御回路］
図５は、回収燃料供給ポンプを駆動制御する制御回路を示すブロック図である。図５において、ＣＰＵ２００は回収燃料供給ポンプ９４を駆動制御するものである。このＣＰＵ２００に、ＲＯＭ２０２、ＲＡＭ２０４、計時部に相当する計時装置２０６、発電出力検知部に相当する発電出力検知装置２０８、ＣＷＰ量検知部に相当するレベルセンサ２１０、粘度測定部に相当する粘度計２１２及び回収燃料供給ポンプ９４が接続されている。
【０１０８】
ＲＯＭ２０２は、ＣＰＵ２００に各種の処理を実行させるプログラムが記憶されている。
【０１０９】
ＲＡＭ２０４は、発電ユニット５の起動時刻と停止時刻の履歴、及び発電ユニット５の稼働停止予定情報等を記憶するものである。このように、ＲＡＭ２０４は、起動履歴記憶部、検知結果記憶部及び稼働予定記憶部に相当する。
【０１１０】
計時装置２０６は、現在の日時を計時し、計時情報をＣＰＵ２００に送信するものである。
【０１１１】
発電出力検知装置２０８は、発電機３６（図１参照）の発電出力を検知し、検知結果をＣＰＵ２００に送信するものである。
【０１１２】
レベルセンサ２１０は、ＣＷＰタンク２４（図２参照）内に設置され、ＣＷＰタンク２４（図２参照）内に収容されたＣＷＰの高さを検知し、検知結果をＣＰＵ２００に送信するものである。
【０１１３】
粘度計２１２は、微粉砕機１８で生成した微粉炭スラリの一部をサンプル抽出して粘度を測定し、検知結果をＣＰＵ２００に送信するものである。
【０１１４】
次に、ＣＰＵ２００が果たす機能について説明する。ＣＰＵ２００は、ＲＯＭ２０２に記憶されているプログラムを実行することにより、履歴記憶制御部２００ａ、判定部に相当するＣＷＰ量判定部２００ｂ、粘度判定部２００ｃ、発電出力判定部２００ｄ、期間判定部２００ｅ及び回収ＣＷＰ供給制御部２００ｆとして機能する。
【０１１５】
履歴記憶制御部２００ａは、発電ユニット５の起動停止履歴と、レベルセンサ２１０の検知結果の履歴をＲＡＭ２０４に記憶するものである。具体的に、履歴記憶制御部２００ａ（ＣＰＵ２００）は、発電ユニット５の稼働状態を監視し、起動状態から停止状態に切り替わった時点の計時装置２０６の計時時刻、及び停止状態から起動状態に切り替わった時点の計時装置２０６の計時時刻をＲＡＭ２０４に累積記憶する処理を行う。また、履歴記憶制御部２００ａ（ＣＰＵ２００）は、レベルセンサ２１０の検知結果を監視し、所定時間毎（例えば、５分毎）に検知結果及び計時装置２０６の計時時刻をＲＡＭ２０４に累積記憶する処理を行う。
【０１１６】
ＣＷＰ量判定部２００ｂは、ＲＡＭ２０４に記憶されている発電ユニット５の起動停止履歴及びレベルセンサ２１０の検知結果の履歴を参照して、発電ユニット５の停止期間にＣＷＰタンク２４内のＣＷＰ量が、所定値以下になったか否かを判定するものである。具体的に、ＣＷＰ量判定部２００ｂ（ＣＰＵ２００）は、図６を用いて後述するＣＷＰ量判定処理を行う。ここで、所定値としては、ＣＷＰタンク２４内が空になったと見なすことができる値を設定する。
【０１１７】
粘度判定部２００ｃは、粘度計２１２が測定した微粉炭スラリの粘度が、予め設定した粘度の範囲（例えば、１００〜１５０（ｍＰａ・ｓ））に入っているか否かを判定するものである。
【０１１８】
発電出力判定部２００ｄは、発電出力検知装置２０８の検知結果が、所定値（例えば、１８８ＭＷ）以上であるか否かを判定するものである。
【０１１９】
期間判定部２００ｅは、計時装置２０６により計時された日時から、ＲＡＭ２０４に記憶されている発電ユニット５の稼働停止予定情報（例えば、定期点検予定）における直近の稼働停止予定日時までの期間が、所定の期間以下（例えば、１ヶ月前）になったか否かを判定するものである。
【０１２０】
回収ＣＷＰ供給制御部２００ｆは、ＣＷＰ量判定部、粘度判定部、発電出力判定部及び期間判定部の判定結果に基づいて、回収燃料供給ポンプ９４の駆動制御を行うものである。具体的に、回収ＣＷＰ供給制御部２００ｆ（ＣＰＵ２００）は、図７、図８を用いて後述するユニット起動時処理及び回収ＣＷＰ供給処理を行う。
【０１２１】
［ＣＷＰ量判定処理］
図６はＣＷＰ量判定処理を示すフローチャートである。ＣＷＰ量判定処理は、所定時間毎（例えば、１分毎）に実行される。
【０１２２】
まず、ステップＳ１００において、ＣＷＰ量判定部２００ｂは、発電ユニット５が停止状態から起動状態に移行したか否かを判定する処理を行う。そして、ＣＷＰ量判定部２００ｂは、発電ユニット５が停止状態から起動状態に移行したと判定した場合にはステップＳ１１０に処理を移し、発電ユニット５が停止状態から起動状態に移行したと判定しない場合にはＣＷＰ量判定処理を終了する。
【０１２３】
ステップＳ１１０において、ＣＷＰ量判定部２００ｂは、ＲＡＭ２０４に記憶されている発電ユニット５の起動履歴を参照して、起動時刻を求める。さらに、ＣＷＰ量判定部２００ｂは、ＲＡＭ２０４に記憶されているレベルセンサ２１０の検知結果の履歴を参照して、発電ユニット５の起動時刻におけるレベルセンサ２１０の検知結果を抽出する処理を行う。この処理が終了した場合には、ステップＳ１２０に処理を移す。
【０１２４】
ステップＳ１２０において、ＣＷＰ量判定部２００ｂは、ステップＳ１１０で抽出したレベルセンサ２１０の検知結果の履歴の中に、予め設定した所定値以下のものが含まれているか否かを判定する処理を行う。そして、ＣＷＰ量判定部２００ｂは、所定値以下のものが含まれていると判定した場合にはステップＳ１３０に処理を移し、所定値以下のものが含まれていると判定しない場合にはＣＷＰ量判定処理を終了する。
【０１２５】
ステップＳ１３０において、ＣＷＰ量判定部２００ｂは、ＲＡＭ２０４において回収フラグとなる記憶領域に、回収フラグをオンにする値を記憶する処理を行う。この処理が終了した場合にはＣＷＰ量判定処理を終了する。
【０１２６】
ところで、定期点検時のように、発電ユニット５を長期間停止させる場合には、ＣＷＰタンク２４内のＣＷＰが、ＣＷＰ回収ピット６８、微粉砕機１８、スラリ中継タンク４０、スラリ回収ピット５６を経て、回収ＣＷＰタンク５８に移送される。このため、発電ユニット５の停止期間にＣＷＰタンク２４内のＣＷＰが排出され、やがて、ＣＷＰタンク２４内のＣＷＰ量が所定値以下になる。そして、発電ユニット５の起動時に、回収フラグがオンになる。
【０１２７】
また、突然のトラブルによって、発電ユニット５を一時的に停止させる場合には、ＣＷＰタンク２４内のＣＷＰを抜き取らないこともある。このような場合には、ＣＷＰタンク２４内のＣＷＰ量が所定値以下にならないため、発電ユニット５の起動時に、回収フラグはオフである。
【０１２８】
［ユニット起動時処理］
図７は、回収ＣＷＰ供給制御部２００ｆが実行するユニット起動時処理を示すフローチャートである。ユニット起動時処理は、発電ユニット５が起動してから、所定時間（例えば、１０分間）の間に、所定時間間隔毎（例えば、１分毎）に実行される。
【０１２９】
まず、ステップＳ２００において、回収ＣＷＰ供給制御部２００ｆは、ＲＡＭ２０４に記憶されている回収フラグがオンであるか否かを判定する処理を行う。そして、回収ＣＷＰ供給制御部２００ｆは、回収フラグがオンであると判定した場合にはステップＳ２１０に処理を移し、回収フラグがオンであると判定しない場合（オフの場合）には、ユニット起動時処理を終了する。
【０１３０】
ステップＳ２１０において、回収ＣＷＰ供給制御部２００ｆは、発電出力検知装置２０８の検知結果が、１８８ＭＷ以上であるか否かを判定する処理を行う。そして、回収ＣＷＰ供給制御部２００ｆは、１８８ＭＷ以上であると判定した場合にはステップＳ２２０に処理を移し、１８８ＭＷ以上であると判定しない場合には回収ＣＷＰ供給処理を終了する。
【０１３１】
ステップＳ２２０において、回収ＣＷＰ供給制御部２００ｆは、粘度計２１２が測定した微粉炭スラリの粘度が、予め設定した粘度の範囲、例えば、１００〜１５０（ｍＰａ・ｓ）に入っているか否かを判定する処理を行う。そして、回収ＣＷＰ供給制御部２００ｆは、予め設定した粘度の範囲に入っていると判定した場合にはステップＳ２３０に処理を移し、予め設定した粘度の範囲に入っていると判定しない場合には回収ＣＷＰ供給処理を終了する。
【０１３２】
ステップＳ２３０において、回収ＣＷＰ供給制御部２００ｆは、回収燃料供給ポンプ９４を駆動して、回収ＣＷＰタンク５８の内部の回収燃料を微粉砕機１８に供給する処理を行う。この処理が終了した場合にはステップＳ２４０に処理を移す。
【０１３３】
ステップＳ２４０において、回収ＣＷＰ供給制御部２００ｆは、ＲＡＭ２０４における回収フラグとなる記憶領域に、回収フラグがオフになる値を記憶する処理を行う。この処理が終了した場合にはユニット起動時処理を終了する。
【０１３４】
［回収ＣＷＰ供給処理］
図８は回収ＣＷＰ供給制御部２００ｆが実行する回収ＣＷＰ供給処理を示すフローチャートである。回収ＣＷＰ供給処理は、所定時間毎（例えば、１分毎）に実行される。
【０１３５】
ステップＳ２５０において、回収ＣＷＰ供給制御部２００ｆは、計時装置２０６により計時された日時から、ＲＡＭ２０４に記憶されている発電ユニット５の定期点検予定日時までの期間が、１ヶ月であるか否かを判定する処理を行う。そして、回収ＣＷＰ供給制御部２００ｆは、１ヶ月であると判定した場合にはステップＳ２７０に処理を移し、１ヶ月であると判定しない場合には回収ＣＷＰ供給処理を終了する。
【０１３６】
ステップＳ２７０において、回収ＣＷＰ供給制御部２００ｆは、発電出力検知装置２０８の検知結果が、１８８ＭＷ以上であるか否かを判定する処理を行う。そして、回収ＣＷＰ供給制御部２００ｆは、１８８ＭＷ以上であると判定した場合にはステップＳ２８０に処理を移し、１８８ＭＷ以上であると判定しない場合には回収ＣＷＰ供給処理を終了する。
【０１３７】
ステップＳ２８０において、回収ＣＷＰ供給制御部２００ｆは、粘度計２１２が測定した微粉炭スラリの粘度が、予め設定した粘度の範囲、例えば、１００〜１５０（ｍＰａ・ｓ）に入っているか否かを判定する処理を行う。そして、回収ＣＷＰ供給制御部２００ｆは、予め設定した粘度の範囲に入っていると判定した場合にはステップＳ２９０に処理を移し、予め設定した粘度の範囲に入っていると判定しない場合には回収ＣＷＰ供給処理を終了する。
【０１３８】
ステップＳ２９０において、回収ＣＷＰ供給制御部２００ｆは、回収燃料供給ポンプ９４を駆動して、回収ＣＷＰタンク５８の内部の微粉炭を微粉砕機１８に供給する処理を行う。この処理が終了した場合には回収ＣＷＰ供給処理を終了する。
【０１３９】
すなわち、回収フラグがオンの場合には、発電ユニット５が起動して、発電ユニット５が発電出力の条件及び粘度の条件を満たす状態になった場合に、回収ＣＷＰタンク５８から微粉砕機１８への回収燃料の供給を実行する。回収ＣＷＰタンク５８から微粉砕機１８への回収燃料の供給を実行した場合には、回収フラグがオフになる。
【０１４０】
このように、回収ＣＷＰタンク５８の内部の回収燃料の量が大きくなった場合に、回収ＣＷＰタンク５８から微粉砕機１８への水分を含む微粉炭の供給を実行することにより、回収ＣＷＰタンク５８の回収容量を確保しておくことが可能になる。
【０１４１】
また、回収フラグがオフの場合であっても、例えば、現在日時が、定期点検の日時に対して、１ヶ月前であり、発電ユニット５が発電出力の条件及び粘度の条件を満たしている場合に、回収ＣＷＰタンク５８から微粉砕機１８への水分を含む微粉炭の供給を実行する。
【０１４２】
このように、回収ＣＷＰタンク５８に大量の燃料が搬送されることが予め分かっている場合に、前もって回収ＣＷＰタンク５８から微粉砕機１８への回収燃料の供給を実行することにより、回収ＣＷＰタンク５８の回収容量を予め確保しておくことが可能になる。
【０１４３】
以上、説明したように構成された本実施形態によれば、前回の発電ユニット５の停止時においてＣＷＰタンク２４からＣＷＰを排出した場合には、そのＣＷＰが回収ＣＷＰタンク５８に回収されるため、回収ＣＷＰタンク５８内のＣＷＰの蓄積量が増加する。そこで、前回の発電ユニット５の停止時においてＣＷＰタンクからＣＷＰを排出し、さらに発電ユニット５の出力電圧が所定値以上になって安定した運転状態にある場合に、回収燃料供給ポンプ９４を駆動して、回収ＣＷＰタンク５８内の回収燃料を微粉砕機１８に移送する。これにより、回収燃料が回収ＣＷＰタンク５８から微粉砕機１８に安定して移送されるとともに、回収ＣＷＰタンク５８内の回収容量が増加する。その結果、回収ＣＷＰタンク５８の回収容量を安定して確保することが可能になる。
【０１４４】
また、回収ＣＷＰタンク５８内の回収燃料には水分が含まれているため、この回収燃料を微粉砕機１８に移送すると、微粉炭スラリの粘度が低下するおそれがある。そこで、本実施形態によれば、微粉炭スラリの粘度の値が所定の範囲に入っている場合に、回収ＣＷＰタンク５８内の回収燃料を微粉砕機１８に移送することにより、微粉炭スラリの粘度を適正にすることが可能になる。
【０１４５】
また本実施形態によれば、計時装置２０６の計時値から稼働停止予定日時までの期間が、所定期間以下になった場合、例えば、計時値が点検日から一ヶ月前に到達した場合で、さらに発電ユニットの出力電圧が所定値以上になって安定した運転状態にある場合に、回収燃料供給ポンプ９４を駆動して、回収ＣＷＰタンク５８内の回収燃料を微粉砕機１８に移送する。これにより、発電ユニット５の稼働停止時には、ＣＷＰタンク２４のＣＷＰが回収ＣＷＰタンク５８に移送されるため、回収ＣＷＰタンク５８内のＣＷＰの蓄積量が増加するが、その前に予め、回収ＣＷＰタンク５内の回収容量を確保しておくことが可能になる。
【０１４６】
以上、本発明の実施形態について説明したが、本発明は、上述した実施形態に限るものではない。例えば、上述した実施形態においては、ユニット起動時処理と回収ＣＷＰ供給処理とがそれぞれ独立して行われているが、それに限るものではなく、図７のステップＳ２００において回収フラグがオンで無い場合に、図８のステップＳ２５０に処理を移すことにより、図９に示すように、ユニット起動時処理と回収ＣＷＰ供給処理とを１つの処理で行ってもよい。
【０１４７】
また、上述した実施形態においては、ＣＷＰ回収ピット６８のＣＷＰが、ＣＷＰ回収ポンプ７２を正転起動させることにより、微粉砕機１８、スラリ回収ピット５６、スラリ回収配管６０を通って回収ＣＷＰタンク５８に送られているが、それに限るものではない。例えば、ＣＷＰ回収ピット６８のＣＷＰを回収ＣＷＰタンク５８に直接送るものであってもよい。
【０１４８】
また、上述した実施形態においては、定期点検日の１ヶ月前に、回収ＣＷＰタンク５８内の回収燃料を微粉砕機に回収させるが、回収ＣＷＰタンク５８内の回収燃料を回収する時期については、回収ＣＷＰタンク５８の回収能力に応じて適宜設定可能である。
【符号の説明】
【０１４９】
１  ＣＷＰ製造システム
１０  原炭バンカ
１２  粗粉砕機
１４  分級機
１６  粗粉砕炭中継ホッパ
１８、１８Ａ、１８Ｂ  微粉砕機
２０  石灰石ホッパ
２２、２２Ａ、２２Ｂ  混練機
２４、２４Ａ、２４Ｂ  ＣＷＰタンク
２６  ＣＷＰポンプ
３０  Ａ火炉
３２  Ｂ火炉
４０Ａ、４０Ｂ  スラリ中継タンク
４２Ａ、４２Ｂ  スラリ移送配管
４４Ａ、４４Ｂ  スラリ移送ポンプ
４６  スラリサービスタンク
４８Ａ、４８Ｂ  スラリ供給配管
５０Ａ、５０Ｂ  スラリ供給ポンプ
５２  タンク内スラリ回収配管
５３  真空耐摩耗ホース
５４Ａ、５４Ｂ  スラリ排出配管
５６  スラリ回収ピット
５８  回収ＣＷＰタンク
６０  スラリ回収配管
６２  スラリ回収ポンプ
６４、６６  ＣＷＰ排出配管
６８  ＣＷＰ回収ピット
７０  ＣＷＰ回収配管
７２  ＣＷＰ回収ポンプ
７４、７６、７８、８０  ドレン配管
８２  供給配管
８４  遮断弁
８６  切替弁
８８  ＣＷＰ戻り配管
９０  分岐配管
９２  ドレン弁
９４  回収燃料供給ポンプ
９６  回収燃料供給配管
９８  回収燃料循環配管
１００Ａ、１００Ｂ  スラリ移送ポンプ入口弁
１０２Ａ、１０２Ｂ  スラリ中継タンクブロー弁
１０４  ＣＷＰ回収ポンプ出口弁
１１６  ＣＷＰ回収ポンプ出口ドレン弁
１０６  回収ＣＷＰ移送切替弁
１０８  回収ＣＷＰ移送止弁
１１０  回収ＣＷＰ微粉砕機移送切替弁
１１２  Ａ微粉砕機回収ＣＷＰ入口弁
１１４  Ｂ微粉砕機回収ＣＷＰ入口弁
１２０  回収ＣＷＰ移送配管パージ水弁
１２２  入口圧力計開閉弁
１２４  出口圧力計開閉弁
１５０  洗浄水配管
１６０  洗浄水供給装置
１７０  入口圧力計
１７２  出口圧力計
２００  ＣＰＵ
２００ａ  履歴記憶制御部
２００ｂ  ＣＷＰ量判定部
２００ｃ  粘度判定部
２００ｄ  発電出力判定部
２００ｅ  期間判定部
２００ｆ  回収ＣＷＰ供給制御部
２０８  発電出力検知装置
２１０  レベルセンサ
２１２  粘度計
３００  火力発電施設
【図１】
0005340330.tif 000002
【図２】
0005340330.tif 000003
【図３】
0005340330.tif 000004
【図４】
0005340330.tif 000005
【図５】
0005340330.tif 000006
【図６】
0005340330.tif 000007
【図７】
0005340330.tif 000008
【図８】
0005340330.tif 000009
【図９】
0005340330.tif 000010